(57)【要約】【課題】封印紙の巻き取りテープにおける分離及び接着を容易にし、封印紙の付着ずれや付着不能を防止し、誤作動されることなしに使用される文書発給機用発給文書封印機を提供する。【解決手段】文書発給機用発給文書封印機は、封印紙が付着された封印紙テープ１が固定される被動ローラー２と、前記被動ローラーに隣接設置されて被動ローラーに固定された封印紙テープの一端部が固定される巻き取りローラー３と、前記被動ローラーと巻き取りローラーとの間の封印紙テープが経由する中間に設置され、封印紙が経由するテープ本体に剥離状態で固定される封印紙剥離部４と、前記剥離された封印紙が発給文書に接着する時、接着された封印紙が密着されるように押圧する封印紙の押圧ローラー部５とで構成される。【選択図】図１
2007308304.tif 000002
【特許請求の範囲】
【請求項１】
封印紙が付着された封印紙テープが固定される被動ローラーと、前記被動ローラーに隣接設置され、被動ローラーに固定された封印紙テープの一端部が固定される巻き取りローラーと、前記被動ローラーと巻き取りローラーとの間の封印紙テープが経由する中間に設置され、封印紙を経由するテープ本体に剥離状態で固定させる封印紙剥離部と、前記剥離された封印紙が発給文書に接着する時、接着された封印紙が密着されるように押圧する封印紙の押圧ローラー部とで構成された文書発給機用発給文書封印機において、
前記封印紙剥離部は、封印紙テープ１が急激に方向を変えるように、前記巻き取りローラー３上方に設置されたターニング軸４１と、前記巻き取りローラー３上方の前記ターニング軸４１に隣接設置され、前記巻き取りローラー３の駆動ギヤー３２１に歯合する被動ギヤー４２１が一側に設置され、巻き取りローラー３と連動される摩擦ローラー４２と、前記摩擦ローラー４２と連動され、前記封印紙テープ１から剥離された封印紙１１を線接触しながら上方に移動させるシリコンベルト移送部４３とで構成されたことを特徴とする文書発給機用発給文書封印機。
【請求項２】
前記シリコンベルト移送部４３は、前記摩擦ローラー４２と連動されるシリコンベルト４３１と、前記シリコンベルト４３１に隣接設置され、剥離された封印紙１１を支持する案内台４３２によって構成され、前記シリコンベルト４３１は、封印紙１１のホログラム接着層に接触しても接着されないようにシリコン材質によって形成され、その接触面は接触の最小化のために、接触される面が線接触されるように成型されたことを特徴とする請求項１に記載の文書発給機用発給文書封印機。
【請求項３】
封印紙が付着された封印紙テープが固定される被動ローラーと、前記被動ローラーに隣接設置され、被動ローラーに固定された封印紙テープの一端部が固定される巻き取りローラーと、前記被動ローラーと巻き取りローラーとの間の封印紙テープが経由する中間に設置され、封印紙を経由するテープ本体に剥離状態で固定させる封印紙剥離部と、前記剥離された封印紙が発給文書に接着する時、接着された封印紙が密着されるように押圧する封印紙の押圧ローラー部とで構成された文書発給機用発給文書封印機において、
前記封印紙の押圧ローラー部は、発給文書Ｃがその間隙を通過するように、上下に上部押圧ローラー５１と、下部押圧ローラー５２で構成され、前記上部押圧ローラー５１はヒンジ軸５１１に近接した前方ローラー５１２と、その後部の後方ローラー５１３とが前後に配置され、前記ヒンジ軸５１１を中心にして同時に回動作動され、前記前方ローラー５１２は、封印紙１１が押される発給文書Ｃが編綴された位置に配置され、下部押圧ローラー５２は、上部押圧ローラー５１と対応する位置に前方ローラー５２２と後方ローラー５２３とで構成され、発給文書Ｃを引き入れる時、後方ローラー５１３、５２３との間隔より前方ローラー５１２、５２２との間隔が狭く形成されることを特徴とする文書発給機用発給文書封印機。
【請求項４】
封印紙が付着された封印紙テープが固定される被動ローラーと、前記被動ローラーに隣接設置され、被動ローラーに固定された封印紙テープの一端部が固定される巻き取りローラーと、前記被動ローラと巻き取りローラーとの間の封印紙テープが経由する中間に設置され、封印紙を経由するテープ本体に剥離状態で固定させる封印紙剥離部と、前記剥離された封印紙が発給文書に接着する時、接着された封印紙が密着されるように押圧する封印紙の押圧ローラー部とで構成された文書発給機用発給文書封印機において、
前記巻き取りローラー３は、テープ本体１２を巻き込むローラー本体３１を駆動させる駆動軸３２と、前記駆動軸３２の直径より小さい直径であり、前記駆動軸３２に密着・固定され、その一端には、横方向に延長された結合端部３３１が形成されたスリップスプリング３３と、前記スリップスプリング３３の結合端部３３１が結合される結合孔３１１が形成され、中央には前記駆動軸３２が挿入される軸孔３１２が形成され、前記軸孔３１２の一端にはスリップスプリング３３が配置される挿入孔３１３が形成されたローラー本体３１とで構成されることを特徴とする文書発給機用発給文書封印機。
【請求項５】
封印紙が付着された封印紙テープが固定される被動ローラーと、前記被動ローラーに隣接設置され、被動ローラーに固定された封印紙テープの一端部が固定される巻き取りローラーと、前記被動ローラーと巻き取りローラーとの間の封印紙テープが経由する中間に設置され、封印紙を経由するテープ本体に剥離状態で固定させる封印紙剥離部と、前記剥離された封印紙が発給文書に接着する時、接着された封印紙が密着されるように押圧する封印紙の押圧ローラー部とで構成された文書発給機用発給文書封印機において、
前記巻き取りローラー３は、テープ本体１２を巻き込むローラー本体３１を駆動させる駆動軸３２と、前記駆動軸３２の直径より小さい直径であり、前記駆動軸３２に密着・固定され、その一端には横方向に延長された結合端部３３１が形成されたスリップスプリング３３と、前記スリップスプリング３３の結合端部３３１が結合される結合孔３１１が形成され、中央には前記駆動軸３２が挿入される軸孔３１２が形成され、前記軸孔３１２の一端には、スリップスプリング３３が配置される挿入孔３１３が形成されたローラー本体３１とで構成され、
前記封印紙剥離部は、封印紙テープ１が急激に方向を変えるように、前記巻き取りローラー３上方に設置されたターニング軸４１と、前記巻き取りローラー３上方の前記ターニング軸４１に隣接設置され、前記巻き取りローラー３の駆動ギヤー３２１に歯合する被動ギヤー４２１が一側に設置され、巻き取りローラー３と連動される摩擦ローラー４２と、前記摩擦ローラー４２に摩擦接触され、前記封印紙テープ１から剥離された封印紙１１を線接触しながら上方に移動させるシリコンベルト移送部４３とで構成され、
前記封印紙の圧押ローラー部は、発給文書Ｃがその間隙を通過するように上下に上部押圧ローラー５１と下部押圧ローラー５２とで構成され、前記上部押圧ローラー５１は、ヒンジ軸５１１に近接した前方ローラー５１２と、その後部の後方ローラー５１３とが前後に配置され、前記ヒンジ軸５１１を中心にして同時に回動作動され、前記前方ローラー５１２は、封印紙１１が押される発給文書Ｃが編綴された位置に配置され、
下部押圧ローラー５２は、上部押圧ローラー５１と対応する位置に前方ローラー５２２と、後方ローラー５２３とで構成され、発給文書Ｃを引き入れる時、後方ローラー５１３、５２３との間隔より前方ローラー５１２、５２２との間隔が狭く形成されることを特徴とする文書発給機用発給文書封印機。
【請求項６】
発給文書が編綴された編綴針上にビニル体１１ａと、前記ビニル体１１ａ上に接着された破断可能のホログラム印刷接着層１１ｂが形成された封印紙１１が接着され、発給文書Ｃに接着された封印紙１１を開封する時、前記ホログラム印刷接着層１１ｂが破断されるようにしたことを特徴とする文書封印方法。
【請求項７】
前記案内台４３２は、封印紙１１と接する表面に縦方向に延在された突出突条４３２ａが形成されたことを特徴とする請求項２に記載の文書発給機用発給文書封印機。
【請求項８】
発給文書Ｃが編綴された編綴針上に用紙と、前記用紙上に接着された破断可能の粘着層が形成された封印紙が接着され、発給文書Ｃに接着された封印紙を開封する時、前記用紙が破損されるように封印することを特徴とする文書封印方法。
【発明の詳細な説明】
【技術分野】
【０００１】
本発明は、文書発給機用発給文書封印機及び文書の封印方法に関する。より具体的には、土地登記簿謄本や建物登記簿謄本など真正成立が重要な文書の偽造防止用として接着面が形成された封印紙を接着することによって、文書発給機に無理な荷重を加える穿孔を利用する文書認証方法を改善し、機械の耐久寿命が延長されることが可能になり、封印紙の開封状態を容易に識別することのできる文書発給機用発給文書の封印機及び文書の封印方法に関する。
【背景技術】
【０００２】
一般的に、登記簿謄本、住民登録謄本など各種の証明書類を自動的に発給する文書発給機の内部には、各種の証明書類を出力するレーザープリントが内蔵されて、このようなレーザープリンターの出力部上には、文書を処理する連動機が配置され、レーザープリンターから出力される文書の最終状には、担当部署長の職印及び秘標職印が捺印されるとともに、認証文が捺印されるが、文書を左右に整列させて発給する文書が２枚以上である場合には、穿孔作業を行い、穿孔作業が終了された後、２枚以上の文書である場合には、ステープラーが作動して、編綴作業を行った後、排出されるような方式で証明書類が発給されている。
【０００３】
また、手動によって文書の認証を与える証紙発行機もやはり文書認証のためには文書の一定位置に穿孔を行っている。このような従来の文書発給機においては、文書の偽造を防止するために、穿孔を行なわねばならないので、最大厚さの文書サイズに合う穿孔作業を予想して穿孔機を設置しなければならない。従って、穿孔機の重量が大きく、又、構成が複雑で、穿孔作業時の負荷が大きくかかるので、機械自体に無理を与えるとともに、機械の耐久寿命が短縮され、さらに電力の消費が大きいため作動時に騒音が激しく発生する問題もあった。また、メカニズムの限界のため最大２０枚〜３０枚が文書認証枚数の限界である。
【０００４】
このような問題を解決するために、本出願人は、特許文献１において、文書の真正成立を認証するとき、文書に穿孔を行うことなしに、封印を行う封印部を有する文書自動発給機を提案しているが、前記特許文書の自動発給機は、封印紙が使用されたテープが巻き取る巻き取りローラーの増加する巻き取り直径ほど移動距離が伸びることによって、使用する途中で封印紙が付着された元の位置に固定されなくなる問題があり、又、封印紙が接着された封印紙テープから分離される時、封印紙テープの表面から分離されて接着準備状態に位置される封印紙を支持することができなくなり、封印紙の接着が完全にならなくなるという問題があった。
【０００５】
また、このような封印紙の文書接着の時にも、封印紙を精巧に分離させて、更に接着させる場合には、再接着の可否を容易に判別することができないという問題があった。
【特許文献１】韓国特許第１０−３７６３６９号
【発明の開示】
【発明が解決しようとする課題】
【０００６】
本発明の目的は、前記のような問題を解決するためであり、封印紙の巻き取りテープにおける分離及び接着を容易にし、封印紙の付着ずれや付着不能を防止し、誤作動なしに使用される文書発給機用発給文書封印機を提供することである。
【０００７】
本発明の他の目的は、発給される文書の厚さに関わらず、封印紙を付着する際に封印紙が発給文書に確実・正確に付着される文書発給機用発給文書封印機を提供することである。
【０００８】
本発明の又他の目的は、封印紙を巻き取った後、更に再使用を可能にするべく封印紙テープを交換し、再度セットして反復的に使用することができる封印機モジュールを提供することによって、使用の便利な文書発給機用発給文書封印機を提供することである。
【０００９】
本発明の他の目的は、封印紙を封印した後に、封印紙を剥がした場合には、封印紙が破壊されることによって封印紙の開封状態を容易に認識することができる文書封印方法を提供することである。
【課題を解決するための手段】
【００１０】
本発明の前記のような目的は、封印紙が付着された封印紙テープが固定される被動ローラーと、前記被動ローラーに隣接設置され、被動ローラーに固定された封印紙テープの一端部が固定される巻き取りローラーと、前記被動ローラーと巻き取りローラーとの間の封印紙テープが経由する中間に設置され、封印紙を経由するテープ本体に剥離状態で固定させる封印紙剥離部と、前記剥離された封印紙が文書に接着するとき、接着された封印紙が密着されるように押圧する封印紙の押圧ローラー部とで構成された本発明による文書発給機用発給文書封印機によって達成される。
【００１１】
本発明による文書発給機用発給文書封印機及び文書封印方法は、添付の図面を参考にしながら詳細に記述する実施形態により、その特徴及びメリットをより明白に理解することができる。
【発明の効果】
【００１２】
上述のように、本発明による文書発給機用発給文書封印機は、封印紙が付着された封印紙テープが固定される被動ローラーと、前記被動ローラーに隣接設置され、被動ローラーに固定された封印紙テープの一端部が固定される巻き取りローラーと、前記被動ローラーと巻き取りローラーとの間の封印紙テープが経由する中間に設置され、封印紙を経由するテープ本体に剥離状態で固定させる封印紙剥離部と、前記剥離された封印紙が発給文書に接着するとき、接着された封印紙が密着されるように押圧する封印紙の押圧ローラー部で構成され、封印紙の巻き取りテープにおける分離及び接着が容易になって、封印紙の付着ずれや付着不能を防止し、誤作動なしに使用されるともに、発給される文書の厚さに関わらず、封印紙の付着時に封印紙が発給文書に確実に付着され、封印紙を巻き取った後、更に再使用することができるように封印紙テープを交換して、再セットして反復的に再使用することのできる封印機モジュールを提供するため、使用に便利な優秀で作用効果を有する。
【発明を実施するための最良の形態】
【００１３】
本発明による文書発給機用発給文書封印機Ａは、必要の書類が印刷され編綴されて、排出される文書発給機Ｂの排出口側に設置される。
【００１４】
発給文書封印機Ａは、図１に図示されたように、封印紙１１が付着された封印紙テープ１が固定される被動ローラー２と、前記被動ローラー２に隣接設置され、被動ローラー２に固定された封印紙テープ１の一端部が固定される巻き取りローラー３と、前記被動ローラー２と巻き取りローラー３との間の封印紙テープ１が経由する中間に設置され、封印紙１１を経由するテープ本体１２に剥離状態で固定させる封印紙剥離部４と、前記剥離された封印紙１１が発給文書Ｃ（図７）に接着する時、接着された封印紙１１が密着されるように押圧する封印紙の押圧ローラー部５とで構成されている。
【００１５】
前記封印紙テープ１は、帯状のテープ本体１２上に封印紙１１が一定間隔で離隔されて接着された構造であり、封印紙１１は、ビニル体１１ａと前記ビニル体１１ａ上に接着された破断可能のホログラム印刷接着層１１ｂが形成され、発給文書Ｃに接着された封印紙１１を開封する時、ホログラム印刷接着層１１ｂが破断されることによって、開封状態を容易に認識することができるようになる。前記ホログラム印刷接着層１１ｂは、好ましくは、本実施形態において、破断することができるように、銀箔紙接着層にて形成されているが、容易に破断可能なアルミニウム接着層や他の類似な材質を使用することができる。
また、前記封印紙テープ１の封印紙１１としては紙ステッカーを使用することができる。即ち、前記ビニル体１１ａに代えて用紙を使用し、前記破断可能なホログラム印刷接着層１１ｂに代えて破断可能な粘着層を形成することができる。
【００１６】
このように紙を使用する封印紙１１は、前記粘着層の粘着力が強力であるため、無理に前記用紙を前記粘着層から取り外そうとする場合には、用紙が破損されることによって封印が開封されたことを容易に認識することができる。
【００１７】
前記の用紙はコート紙、模造紙、アート紙、スノウホワイトペーパーなど、表面に印刷することができるものである。なお、前記粘着層はビニル樹脂系接着剤、ポリ酢酸ビニル（ＰＶＡｃ）接着剤、又はクロロプレン系接着剤を使用することができる。
【００１８】
前記被動ローラー２と、巻き取りローラー３と、封印紙剥離部４は、単一体で構成され、発給文書封印機Ａに着脱可能に結合される封印機モジュールＭを構成し、封印機モジュールＭは、封印紙テープ１を使用した後、更に交換して使用することができる構成である。前記巻き取りローラー３は、駆動モータ６により駆動される。
【００１９】
前記駆動モータ６は、ステップモータやタコ（Ｔａｃｈｏ）ジェネレータが付着されたＤＣモータによって速度及び位置制御が可能なモータを使用し、後述する封印紙剥離部４に設置された感光センサーにより、その回転が精密に制御される。巻き取りローラー３は、図７に図示されたように、テープ本体１２が巻き込まれるローラー本体３１を駆動させる駆動軸３２と、前記駆動軸３２の直径より小さい直径でなり、前記駆動軸３２に密着・固定され、その一端には、横方向に延長された結合端部３３１が形成されたスリップスプリング３３と、前記スリップスプリング３３の結合端部３３１が結合される結合孔３１１が形成され、中央には前記駆動軸３２が挿入される軸孔３１２が形成され、前記軸孔３１２の一端には、スリップスプリング３３が配置される挿入孔３１３が形成されたローラー本体３１で構成される。
【００２０】
前記駆動軸３２の一端には、前記封印紙剥離部４と結合される駆動ギヤー３２１が結合されている。本実施形態において、前記スリップスプリング３３の直径は５．８ｍｍであり、スリップスプリング３３が結合される駆動軸３２の直径は６．０ｍｍであって、スリップスプリング３３と駆動軸３２は緊密に接触結合される構造である。
【００２１】
前記封印紙剥離部４は、前記被動ローラー２と巻き取りローラー３に進行する封印紙テープ１が急激に方向を変えるように、前記巻き取りローラー３上方に設置されたターニング軸４１と、前記巻き取りローラー３上方の前記ターニング軸４１に隣接設置され、前記巻き取りローラー３の駆動ギヤー３２１に歯合する被動ギヤー４２１が一側に設置され、巻き取りローラー３と連動される摩擦ローラー４２と、前記摩擦ローラー４２に連動されるように駆動され、前記封印紙テープ１から剥離された封印紙１１を線接触しながら上方に移動させるシリコンベルト移送部４３で構成される。
【００２２】
前記摩擦ローラー４２の外表面には、摩擦力に優れたゴムで形成され封印紙１１が剥離されたテープ本体１２が確実に移送されるようにして、摩擦ローラー４２の一端に形成された被動ギヤー４２１と連設された他の被動ギヤー４２２と歯合するシリコンベルトギヤー４３３によってシリコンベルト移送部４３のシリコンベルト４３１と確実に連動される。前記シリコンベルト移送部４３は、前記摩擦ローラー４２と連動される２つのシリコンベルト４３１と前記シリコンベルト４３１に隣接設置され、剥離された封印紙１１を支持する案内台４３２によって構成され、前記シリコンベルト４３１は、封印紙１１のホログラム印刷接着層１１ｂに接触しても接着されないようにシリコン材質によって形成され、その接触面は、接触の最小化のために、線接触されるように円形に形成されている。
【００２３】
前記案内台４３２は、封印紙１１と接する表面に縦方向に延在された突出突条４３２ａを形成して剥離される封印紙１１の中間が折曲する屈曲部を形成しながら剥離されるようにして、封印紙１１が折曲される現象を防止することができ、直立状態において封印紙を発給文書Ｃ上に接着させることができるようにした構造である。未説明符号４４、４４’は、封印テープを案内する案内ローラーである。未説明符号４５は、感光センサーであって封印紙１１の引き入れ可否を感知して、このように封印紙が感知される場合、駆動モータ６に感知信号を送出して駆動モータ６の駆動を制御する。
【００２４】
前記封印紙の押圧ローラー部５は、前記封印紙剥離部４から剥離された封印紙１１が配置される封印紙剥離部４の上方に配置される。前記封印紙の押圧ローラー部５は、発給文書Ｃがその間隙を通過するように、上下に上部押圧ローラー５１と下部押圧ローラー５２で構成され、前記上部押圧ローラー５１は、ヒンジ軸５１１を中心にして回動作動される。前記上部押圧ローラー５１は、ヒンジ軸５１１に近接した前方ローラー５１２と、その後部の後方ローラー５１３とが前後に配置され、ヒンジ軸５１１を中心にして同時に回動作動される。
【００２５】
前記前方ローラー５１２は、封印紙１１が押される発給文書Ｃが編綴された位置に配置され、前記後方ローラー５１３は、前方ローラー５１２の両側に配置されて、上部押圧ローラー５１は、２つの前方ローラー５１２と４つの後方ローラー５１３で構成され、下部押圧ローラー５２は、上部押圧ローラー５１と対応する位置に２つの前方ローラー５２２と、４つの後方ローラー５２３で構成される。
【００２６】
前記封印紙の押圧ローラー部５は、編綴された発給文書Ｃを引き入れる位置で先に後方ローラー５１３、５２３が接するため、後方ローラー５１３がヒンジ軸５１１を中心にして上方に回動作動されるため、後方ローラー５１３を持ち上げる高さより前方ローラー５１２を持ち上げる高さが低いため、前方ローラー５１２は、緊密に密着されながら封印紙１１を接着することができる構造になっている。前記封印紙の押圧ローラー部５の下部押圧ローラー５２のローラー軸５２１は、駆動モータ６’の駆動ギヤー６１に歯合される被動ギヤー５２１１によって駆動される。
【００２７】
次に、本発明による文書発給機用発給文書封印機Ａの作動を詳細に説明する。
【００２８】
編綴された発給文書Ｃが封印紙剥離部４の直ぐ前で静止され、センサーによりこれを感知して編綴された発給文書Ｃを封印紙剥離部４に引き入れるとき、先ず、発給文書Ｃの先端部が封印紙の押圧ローラー部５の後方ローラー５１３、５２３に接触するようになり、このとき、上部押圧ローラー５１は、ヒンジ軸５１１を中心にして上方に回動しながら持ち上げられ、後方ローラー５１３が発給文書Ｃの先端部を押すようになる状態で剥離されて、接着される位置に配置された封印紙１１が発給文書Ｃ上に接着される。
【００２９】
このように、発給文書Ｃに封印紙が接着された状態において、発給文書Ｃは、前方ローラー５１２、５２２内に導入され、前方ローラー５１２、５２２との間の間隔が後方ローラー５１３、５２３との間の間隔より狭く形成されているため、発給文書Ｃの編綴部上に封印紙１１は緊密に接着される。このように、本発明においては、封印紙の押圧ローラー部５の上部押圧ローラー５１がヒンジ軸５１１を中心にして回動する構造を有するため、後方ローラー５１３、５２３より封印紙を押圧する前方ローラー５１２、５２２との間隔が狭いので、封印紙は、緊密に発給文書上に接着されながら、上部押圧ローラー５１が回動する構造であるため、発給文書の厚さに関わらず封印紙を緊密に密着接着させることができる構造になっている。
【００３０】
このように、発給文書Ｃの封印が完了されるとともに、次の発給書類の封印を準備するために巻き取りローラー３の駆動モーター６が作動する。これによって駆動軸３２が回転しながらローラー本体３１が回動されるため、巻き取りローラー３に巻き取られている封印紙１１が、剥離されたテープ本体１２に巻き込まれるため、被動ローラー２に巻き込まれた封印紙テープ１は解かされて、封印紙剥離部４のターニング軸４１を通過する封印紙テープ１上に接着された封印紙１１は、封印紙テープ１がターニング軸４１を乗って急激に方向を変えるため、封印紙１１がテープ本体１２上で剥離されながら上方に移動し、このとき封印紙は、シリコンベルト移送部４３のシリコンベルト４３１によって上方に移動される。
【００３１】
この場合、前記シリコンベルト４３１は、封印紙１１のホログラム印刷接着層１１ｂに接触しても接着することができないように、シリコン材質によって形成され、その接触面は接触の最小化のために、接触される面が、線接触されるように円形に形成されている。従って、封印紙１１は、容易に後続の発給書類を封印することができる位置に配置されるとともに、巻き取りローラー３の駆動モーター６は静止される。本発明においては、剥離されたホログラム印刷接着層を有する封印紙をシリコンベルト４３１と案内台４３２によって発給文書Ｃに接着可能の位置に移動させることができるので、封印紙の安定的な接着性が保障される。
【００３２】
又、本発明においては、巻き取りローラー３に巻き取られる封印紙テープ１のテープ本体１２の厚さが厚くなる場合、巻き取りローラー３の１回転毎に、封印紙１１が接着された封印紙テープ１が解かれる長さが長くなって、封印紙１１が元の位置で剥離されない問題を解決するために、巻き取りローラー３に巻き込まれるテープ本体１２の厚さが厚くなると、封印紙テープ１上に加えられる張力が増加するため、このように増加された張力と同等にローラー本体３１と駆動軸３２の駆動力を伝達するスリップスプリング３３が駆動軸３２の上から滑りながら、前記増加された張力を補正することによって、常に一定に封印紙テープ１が巻き取りローラー３に巻き込まれる長さを一定にすることによって、封印紙１１の位置設定を一定に維持することができるため、安定的な封印作業を遂行することができる。
【００３３】
このように、封印紙が編綴部に付着された後、一度付着された封印紙を除去する時には、封印紙１１を開封する時、ホログラム印刷接着層１１ｂが破断されながら破壊されることによって剥した痕跡を残すので、文書認証に必要とする固有の機能を保証することができる。
【図面の簡単な説明】
【００３４】
【図１】本発明の一実施例による文書発給機用発給文書封印機の概略的な正断面図である。
【図２】本発明の一実施例による発給文書封印機の封印機モジュールの斜視図である。
【図３】本発明の一実施例によるシリコンベルト移送部を示す斜視図である。
【図４】本発明の一実施例による封印テープ上において封印紙が剥離される状態を図示した封印紙剥離部の概略的な拡大縦断面図である。
【図５】本発明の一実施例による図４のＩ−Ｉ線に沿って拡大した部分横断面図である。
【図６】本発明の一実施例による封印紙の押圧ローラー部の概略斜視図である。
【図７】本発明の一実施例による封印紙の押圧ローラー部の作動を図示した正面図である。
【図８】本発明の一実施例による巻き取りローラーの拡大縦断面図である。
【符号の説明】
【００３５】
１：封印紙テープ
２：被動ローラー
３：巻き取りローラー
４：封印紙剥離部
５：封印紙の押圧ローラー部
３１：ローラー本体
３２：駆動軸
３３：スリップスプリング
４１：ターニング軸
４２：摩擦ローラー
４３：シリコンベルト移送部
５１：上部押圧ローラー
５２：下部押圧ローラー
【図１】
2007308304.tif 000003
【図２】
2007308304.tif 000004
【図３】
2007308304.tif 000005
【図４】
2007308304.tif 000006
【図５】
2007308304.tif 000007
【図６】
2007308304.tif 000008
【図７】
2007308304.tif 000009
【図８】
2007308304.tif 000010